(57)【要約】      （修正有）【課題】ロック部材の板厚を薄くしてもロック爪と装置アクセサリとの十分な係合強度や係合量を確保する。【解決手段】撮像装置は、装置アクセサリ２が着脱可能に装着されるマウント６と、マウント６に装着された装置アクセサリ２をロックするロック部材１８とを備える。マウント６は、装置アクセサリ２の内周部に形成された係合凸部を光軸方向に挿入可能に案内するガイド溝部６ａと、ガイド溝部６ａに係合凸部が挿入された状態で装置アクセサリ２が回動操作された際に、係合凸部に係合する係合溝部とを有し、ロック部材１８は、板状の部材とされて、先端部に曲げ加工を施すことにより形成されたロック爪１８ａを有する。ロック爪１８ａは、ガイド溝部６ａと装置アクセサリ２の内周面との間隙に配置され、係合溝部が係合凸部に係合した状態で係合凸部に対して周方向に係合することにより、マウント６に装着された装置アクセサリ２をロックする。【選択図】図４
2013130796.tif 000002
【特許請求の範囲】
【請求項１】
装置アクセサリが着脱可能に装着されるマウントと、前記マウントに装着された前記装置アクセサリをロックするロック部材と、を備える撮像装置であって、
前記マウントは、前記装置アクセサリの内周部に形成された係合凸部を光軸方向に挿入可能に案内するガイド溝部と、
前記ガイド溝部に前記係合凸部が挿入された状態で前記装置アクセサリが回動操作された際に、前記係合凸部に係合する係合溝部と、を有し、
前記ロック部材は、板状の部材とされて、先端部に曲げ加工を施すことにより形成されたロック爪を有し、
前記ロック爪は、前記ガイド溝部と前記装置アクセサリの内周面との間隙に配置され、前記係合溝部が前記係合凸部に係合した状態で前記係合凸部に対して周方向に係合することにより、前記マウントに装着された前記装置アクセサリをロックすることを特徴とする撮像装置。
【請求項２】
前記マウントには、光軸と平行に延びる軸方向溝部が形成され、前記ロック部材は、前記軸方向溝部に沿って配置されることを特徴とする請求項１に記載の撮像装置。
【発明の詳細な説明】
【技術分野】
【０００１】
本発明は、コンバータ等のアダプタ装置や化粧リング等の装置アクセサリが装着されるマウントを有するデジタルカメラ等の撮像装置に関する。
【背景技術】
【０００２】
デジタルカメラ等の撮像装置では、コンバータ等のアダプタ装置や化粧リング等の装置アクセサリを装置本体のマウントに装着する手段として、バヨネット係合による装着が主流となってきている。
【０００３】
バヨネット係合に関する技術としては、例えば、装置本体のマウント面から突出するロック爪を有するロック部材と、ロック爪をマウント面から退避させるためのロック解除ボタンとを備えるものが提案されている（特許文献１）。
【０００４】
この提案では、アダプタ装置を装置本体のマウントに取り付ける場合には、アダプタ装置を所定角度回転させて、所定位置でロック部材のロック爪をアダプタ装置に係合させてロックする。また、アダプタ装置を装置本体のマウントから取り外す場合には、ロック解除ボタンを操作して、ロック部材のロック爪をマウント面から退避させることでアダプタ装置との係合を解除し、この状態でアダプタ装置を所定角度回転させて装置本体から取り外す。
【先行技術文献】
【特許文献】
【０００５】
【特許文献１】特開２０００−３３０１７９号公報
【発明の概要】
【発明が解決しようとする課題】
【０００６】
しかし、上記特許文献１では、ロック爪が形成されるロック部材は、ロック爪とアダプタ装置との十分な係合強度や係合量を確保するために、比較的厚肉に形成される。このため、マウントの径とロック部材の板厚と装置アクセサリの径とを合わせたバヨネット機構部の外径が増加し、撮像装置が大型化してしまう。
【０００７】
そこで、本発明は、ロック部材の板厚を薄くしてもロック爪と装置アクセサリとの十分な係合強度や係合量を確保できるようにして、バヨネット機構部の小径化ひいては撮像装置の小型化を図る仕組みを提供することを目的とする。
【課題を解決するための手段】
【０００８】
上記目的を達成するために、本発明は、装置アクセサリが着脱可能に装着されるマウントと、前記マウントに装着された前記装置アクセサリをロックするロック部材と、を備える撮像装置であって、前記マウントは、前記装置アクセサリの内周部に形成された係合凸部を光軸方向に挿入可能に案内するガイド溝部と、前記ガイド溝部に前記係合凸部が挿入された状態で前記装置アクセサリが回動操作された際に、前記係合凸部に係合する係合溝部と、を有し、前記ロック部材は、板状の部材とされて、先端部に曲げ加工を施すことにより形成されたロック爪を有し、前記ロック爪は、前記ガイド溝部と前記装置アクセサリの内周面との間隙に配置され、前記係合溝部が前記係合凸部に係合した状態で前記係合凸部に対して周方向に係合することにより、前記マウントに装着された前記装置アクセサリをロックすることを特徴とする。
【発明の効果】
【０００９】
本発明によれば、ロック部材の板厚を薄くしてもロック爪と装置アクセサリとの十分な係合強度や係合量を確保することができるので、バヨネット機構部の小径化ひいては撮像装置の小型化を図ることができる。
【図面の簡単な説明】
【００１０】
【図１】本発明の撮像装置の実施形態の一例であるデジタルカメラを正面側（被写体側）から見た斜視図である。
【図２】図１に示すデジタルカメラのマウントに着脱可能に装着される装置アクセサリを背面側から見た斜視図である。
【図３】マウントに装着された装置アクセサリをロックするロック機構を説明するための分解斜視図である。
【図４】マウントに装着された装置アクセサリがロック機構によりロックされた状態での要部断面図である。
【発明を実施するための形態】
【００１１】
以下、本発明の実施形態の一例を図面を参照して説明する。
【００１２】
図１は本発明の撮像装置の実施形態の一例であるデジタルカメラを正面側（被写体側）から見た斜視図、図２は図１に示すデジタルカメラのマウントに着脱可能に装着される装置アクセサリを背面側から見た斜視図である。
【００１３】
本実施形態のデジタルカメラは、図１に示すように、カメラ本体１の上面部に、ポップアップ式のストロボユニット９、電源ボタン１１、モード設定ダイヤル１２、レリーズボタン１４、及びズーム切り替えレバー１５等が設けられる。また、カメラ本体１の正面側には、電子ダイヤル１３、ファインダ窓８、補助光源１０、ロック解除ボタン１７及びレンズ鏡筒７等が設けられる。
【００１４】
レンズ鏡筒７の外周側には、図２に示す装置アクセサリ２が着脱可能に装着されるマウント６が設けられ、マウント６には、マウント６に装着された装置アクセサリ２をロックするロック部材１８のロック爪１８ａが露出している。
【００１５】
マウント６に装着された装置アクセサリ２のロック状態は、ロック解除ボタン１７を押し操作することで解除される。装置アクセサリ２は、本実施形態では、化粧リングとされ、図２に示すように、内周部には、周方向に延びる係合凸部２ａが周方向に略等間隔で複数箇所設けられている。
【００１６】
マウント６は、装置アクセサリ２の係合凸部２ａを光軸方向に挿入可能に案内するためのガイド溝部６ａを有する。ガイド溝部６ａは、装置アクセサリ２の係合凸部２ａと同位相になる様に周方向に複数箇所設けられている。周方向に互いに隣り合う各ガイド溝部６ａの間には、周方向に延びる係合溝部６ｂが形成されている。
【００１７】
また、複数のガイド溝部６ａのうちの一つのガイド溝部６ａは、ロック解除ボタン１７の近傍に配置され、当該ガイド溝部６ａには、ロック部材１８のロック爪１８ａが挿通する穴部６ｄ（図３参照）が形成されている。
【００１８】
そして、装置アクセサリ２の係合凸部２ａをマウント６のガイド溝部６ａに対して光軸方向に挿入し、この状態で装置アクセサリ２を光軸周り（図１の時計周り）方向に回動操作して、係合凸部２ａを係合溝部６ｂに係合させる。これにより、装置アクセサリ２がカメラ本体１のマウント６に装着される。なお、コンバータ等のアダプタ装置を装着する場合も同様である。
【００１９】
図３はマウント６に装着された装置アクセサリ２をロックするロック機構を説明するための分解斜視図、図４はマウント６に装着された装置アクセサリ２がロック機構によりロックされた状態での要部断面図である。
【００２０】
図３及び図４に示すように、ロック機構は、弾性部材１９、保持部材２０、及びロック部材１８を備える。
【００２１】
弾性部材１９は、ロック解除ボタン１７に形成された軸１７ａに外挿された状態で、一端がロック部材１８に当接し、他端が保持部材２０に当接することで、ロック部材１８に当接するロック解除ボタン１７をカメラ本体１の正面側に突出させる方向に付勢する。
【００２２】
ロック部材１８は、薄板状の部材で略Ｌ字形状に形成されており、先端部には、ロック爪１８ａが設けられている。ロック爪１８ａは、ロック部材１８の先端部に曲げ加工を施すことにより形成される。また、ロック部材１８は、マウント６の外周部に光軸と平行に形成された軸方向溝部６ｃに沿って光軸方向に移動可能に配置される。
【００２３】
そして、ロック部材１８は、弾性部材１９から付勢力を受けることにより、軸方向溝部６ｃに沿って移動してロック爪１８ａがガイド溝部６ａに形成された穴部６ｄを挿通し、ガイド溝部６ａから突出する。この突出したロック爪１８ａに装置アクセサリ２の係合凸部２ａが周方向に係合することで、マウント６に装着された装置アクセサリ２がロックされる。
【００２４】
装置アクセサリ２のロック状態を解除するには、上述したように、ロック解除ボタン１７を弾性部材１９の付勢力に抗して押し操作して、ロック部材１８をロック解除ボタン１７の押し方向に移動させる。これにより、ロック爪１８ａが穴部６ｄに収納されてガイド溝部６ａから退避し、マウント６に装置アクセサリ２を着脱可能な状態となる。
【００２５】
ロック解除ボタン１７が押し操作されていない状態では、ロック爪１８ａは、図４に示すように、マウント６のガイド溝部６ａと装置アクセサリ２の複数の係合凸部２ａの間の内周面２ｂとの間隙２１に配置される。間隙２１は、マウント６に形成された係合溝部６ｂと装置アクセサリ２に形成された係合凸部２ａの係合量により決まるので、ロック部材１８の先端に曲げ加工を施して形成したロック爪１８ａを配置するには、十分な空間である。
【００２６】
また、ロック部材１８のロック爪１８ａは、装置アクセサリ２のロック状態で装置アクセサリ２を回動させると図１の反時計回り方向の静圧を受ける。この場合、ロック部材１８には、装置アクセサリ２がマウント６から脱落する方向に傾きが生じるが、ロック部材１８が軸方向溝部６ｃの側壁に当接することで、ロック爪１８ａに対する前記静圧による負荷を低減することができる。
【００２７】
以上説明したように、本実施形態では、ロック部材１８の板厚を薄くしてもロック部材１８の先端を曲げ加工を施してロック爪１８ａを形成しているので、ロック爪１８ａと装置アクセサリ２の係合凸部２ａとの十分な係合強度や係合量を確保することができる。これにより、マウント６の径とロック部材１８の板厚と装置アクセサリ２の径とを合わせたバヨネット機構部の外径の小径化が可能となり、デジタルカメラの小型化を図ることができる。
【００２８】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００２９】
１  カメラ本体
２  装置アクセサリ
２ａ  係合凸部
６  マウント
６ａ  ガイド溝部
６ｂ  係合溝部
６ｃ  軸方向溝部
６ｄ  穴部
１７  ロック解除ボタン
１８  ロック部材
１８ａ  ロック爪
【図１】
2013130796.tif 000003
【図２】
2013130796.tif 000004
【図３】
2013130796.tif 000005
【図４】
2013130796.tif 000006